(57)【要約】【課題】  収納液体が劣化することを防止可能な保護膜付き瓶状容器を提供する。【解決手段】  瓶体の外層表面塗料には、ｎｍレベル二酸化チタン材料を有すると共に、銅粒がドーピングされており、日差しにおける紫外線または強烈光線の吸収率を向上できる光触媒保護層と、前記光触媒の塗布浸漬溶剤に添加され、前記瓶状容器または他の有機材料からなる物品の表面に塗布される際に、瓶状容器または他の有機材料がｎｍレベルの二酸化チタン光触媒に酸化されることを防止できる、アルコール類基礎の化合物と、を備えている。【選択図】図２
2005206229.tif 000002
【特許請求の範囲】
【請求項１】
飲料水やお酒や他の液体を収納可能な瓶状容器と、
ｎｍレベルの二酸化チタン材料を有すると共に、金属粒がドーピングされており、日差しと紫外線の吸収効率を向上できる光触媒保護層と、
前記光触媒保護層の塗布浸漬溶剤に添加されるアルコール類基礎の化合物と、を備えており、
前記光触媒保護層が前記瓶状容器の外層表面に分布されていることを特徴とする、
保護膜付き瓶状容器。
【請求項２】
前記光触媒保護層に含まれる二酸化チタン材料が５〜３０ｎｍレベルの物品であることを特徴とする、
請求項１に記載の保護膜付き瓶状容器。
【請求項３】
前記光触媒保護層にドーピングされる金属粒として銅粒を使用することを特徴とする、
請求項１に記載の保護膜付き瓶状容器。
【請求項４】
前記光触媒保護層の塗布浸漬溶剤に含まれる前記アルコール類基礎の化合物の成分に、二酸化珪素を有する物質を使用することを特徴とする、
請求項１に記載の保護膜付き瓶状容器。
【請求項５】
前記光触媒保護層の塗布浸漬溶剤に含まれる前記アルコール類基礎の化合物を摂氏８０〜１００度で加熱して、硬い保護膜を形成することを特徴とする、
請求項１に記載の保護膜付き瓶状容器。
【請求項６】
前記瓶状容器としてポリエステルからなるプラスチック瓶を使用することを特徴とする、
請求項１に記載の保護膜付き瓶状容器。
【請求項７】
前記瓶状容器としてガラス瓶を使用することを特徴とする、
請求項１に記載の保護膜付き瓶状容器。
【発明の詳細な説明】
【技術分野】
【０００１】
本発明は、ｎｍレベルの二酸化チタン光触媒塗布剤を含み、脱落（剥離）し難い保護膜を有する瓶状容器に係わり、特に瓶状容器の表面に保護膜を形成することによって瓶状容器が酸化分解されることを防止でき、且つｎｍレベルの二酸化チタン光触媒を瓶状容器の表面に強く粘着でき、殺菌と臭気除去機能と日差し中の紫外線または強烈な光線の吸収率を向上できる瓶状容器に関するものである。
【背景技術】
【０００２】
ビールに含有するビール花や蛇麻草などの成分は強烈な光線に弱く、日差しに照射されれば温度が上昇して、その味を劣化させる場合がある。その主要な原因は、紫外線がビール花の成分を変質して、臭味を発生させるのである。そのため、昨今では、マーケットにおいて流通するビールのほとんどが、深い色のポリエステルからなる瓶状容器によって収納されており、強い光線を遮蔽しようとしている。
しかしながら、光線が過度に強すぎると、その遮蔽が不充分となるばかりか、元の味を保持できなくなり、また深いコーヒー色（または深い緑色）のガラス瓶によって収納する場合、リサイクルが困難となり、またコストが高くついてしまうという問題点があった。
【０００３】
従来の瓶状容器には、例えば台湾公告第３９７０５０号と３７３６２４号と３１９２１１号があり（以下引用例と称す）、それらは大部分が瓶状容器の瓶体の構造を改良したもの、或いは意匠を創作したものである。
【０００４】
また、従来の光触媒については、例えば台湾公告第４８２６９４号（以下引用例と称す）があり、これは低温硬化型の高活性酸化物光触媒薄膜を有する物品であって、その特徴は室内光源または室外の日差しを受ける物体の表面に、二酸化チタン微粒子を分布した塗布膜を形成し、その塗布膜におけるドーピング元素の電気陰性度が１．６以下であり、そのイオン半径が０．２ｎｍ以下で、且つ少なくともＮａ，Ｌｉ，Ｋ，Ｍｇ，Ｃａ，Ｓｒからなるグループの中の一種を採用し、且つ添加される元素は原子価が２以下のイオンであり、その添加量が０．５〜２０ｗｔ％に設定されたものであった。
【０００５】
また、台湾公告第４９５３８４号（以下引用例と称す）は一種の複合材料を掲げ、それは水と接触する環境において、空気中における窒素酸化物やアンモニアや二酸化硫黄からなるグループより選出される一種または一種以上の化合物を分解するものに利用され、その複合材料には少なくとも基材と表面層とを含んでおり、前記表面層が親水性と自己浄化能力を有するものであり、且つ前記表面層には、光線に照射されると、直ちに触媒作用を生成できるｎｍレベルの二酸化チタン光触媒からなる成分（ｉ）と、Ａｌ２Ｏ３，ＺｎＯ，ＳｒＯ，ＢａＯ，ＭｇＯ，ＣａＯ，Ｒｂ２Ｏ，Ｎａ２Ｏ，Ｋ２Ｏ，Ｐ２Ｏ５からなるグループより選出される一種または一種以上の金属酸化物からなる成分（ｉｉ）と、ＳｉＯ２，ＺｒＯ２，ＧｅＯ２，ＴｈＯ２からなるグループより選出される一種または一種以上の金属酸化物からなる成分（ｉｉｉ）と、を含んでいる。
【発明の開示】
【発明が解決しようとする課題】
【０００６】
しかし、前記した従来の発明にあっては、次のような問題点がある。
（１）瓶状容器の液体変質を防止する機能に対して改良を実施していない。
（２）使用される瓶状容器は、その塗布対象物を保護する効果を強調するものではなく、特にポリエステルからなる瓶体について開示していない。
（３）瓶状容器は、紫外線または強烈な光線の吸収率に対応した改良を実施していない。
【０００７】
本発明は、以上の点に鑑みてなされたもので、収納する液体が変質してしまうことを防止できる瓶状容器を提供することにあり、また、日差しにおける紫外線または可視光線の吸収率を向上できる瓶状容器を提供することを提供すること、さらには、プラスチック製の瓶体が酸化分解されることを防止できる、保護膜を有する瓶状容器を提供することを課題としている。
【課題を解決するための手段】
【０００８】
前記の目的を図るために、本発明による保護膜付き瓶状容器は、飲料水やお酒や他の液体を収納可能な瓶状容器と、ｎｍレベルの二酸化チタン材料を有すると共に、金属粒がドーピングされており、日差しと紫外線の吸収効率を向上できる光触媒保護層と、前記光触媒保護層の塗布浸漬溶剤に添加されるアルコール類基礎の化合物と、を備えており、前記光触媒保護層が前記瓶状容器の外層表面に分布されていることを特徴としている。
【０００９】
また、本発明の保護膜付き瓶状容器は、前記した保護膜付き瓶状容器において、前記光触媒保護層に含まれる二酸化チタン材料が５〜３０ｎｍレベルの物品であることを特徴とする。
【００１０】
また、本発明の保護膜付き瓶状容器は、前記した保護膜付き瓶状容器において、前記光触媒保護層にドーピングされる金属粒として銅粒を使用することを特徴とする。
【００１１】
また、本発明の保護膜付き瓶状容器は、前記した保護膜付き瓶状容器において、前記光触媒保護層の塗布浸漬溶剤に含まれる前記アルコール類基礎の化合物の成分に、二酸化珪素を有する物質を使用することを特徴とする。
【００１２】
また、本発明の保護膜付き瓶状容器は、前記した保護膜付き瓶状容器において、前記光触媒保護層の塗布浸漬溶剤に含まれる前記アルコール類基礎の化合物を摂氏８０〜１００度で加熱して、硬い保護膜を形成することを特徴とする。
【００１３】
また、本発明の保護膜付き瓶状容器は、前記した保護膜付き瓶状容器において、前記瓶状容器としてポリエステルからなるプラスチック瓶を使用することを特徴とする。
【００１４】
また、本発明の保護膜付き瓶状容器は、前記した保護膜付き瓶状容器において、前記瓶状容器としてガラス瓶を使用することを特徴とする。
【発明の効果】
【００１５】
本発明は、上記した課題を解決するための手段により、次のような効果の少なくとも一つを得ることができる。
（１）本発明の保護膜付き瓶状容器は、瓶状容器の表面に光触媒保護層を分布したものであるから、紫外線の侵入をシャットアウトでき、変質を防止することができる。
（２）日差し又は紫外線の吸収効率を向上できる。
（３）瓶体材料が酸化されることを防止できる。
【発明を実施するための最良の形態】
【００１６】
以下に添付図面を参照しながら本発明の優れる実施の形態を詳細的で具体的に説明する。
【００１７】
図１は瓶状容器の材質に形成される光触媒薄膜を示す断面図であり、それは、５〜３０ｎｍの二酸化チタン材料２１に銅粒２２を加えて触媒とし、ｎｍレベル二酸化チタン光触媒の触媒能力を強化し、このｎｍレベル二酸化チタン材料２１に載置される銅粒２２が電子４をガイドでき、二酸化チタンの電子４と正孔５との再結合のことを大幅に減少でき、日差しの中の紫外線３または強烈光線の吸収効率を大幅に向上できる。前記ｎｍレベルの二酸化チタン光触媒は、色無し、味無し、毒無しの特性を有するので、この種の光触媒自身が反応に参与しなく、そのため、永遠に消耗されることはなく、光触媒作用の物理的反応において、その機能性は抜群的であると共に、空気中の各種の有害物質と有機物を協力的に分解できる。
【００１８】
ポリエステルからなる瓶状容器２も有機物であるので、ｎｍレベルの二酸化チタン材料２１が前記瓶状容器１の表面に塗布浸漬される後に、ポリエステル材質の瓶状容器２も分解され、本発明の要点は、光触媒反応の物理的反応において前記ポリエステル材質が酸化分解されることを避けることであり、そのため、二酸化チタンの塗布浸漬溶剤においてアルコール類基礎の化合物を添加し、この化合物が摂氏８０〜１８０度によって加熱されると、前記ポリエステル基材の瓶状容器２の外層に硬くて脱落し難い二酸化ケイ素を主要な材料とする保護膜２３を形成し、それによってポリエステル基材と光触媒との接触を完全に隔絶し、瓶状容器２が二酸化チタン光触媒に酸化されることを防止できるようにするものを提供する。
【００１９】
図２は光線が照射することによって瓶状容器１の表面に酸化還元反応を生成することを示す説明図であり、日差しまたは紫外線３が瓶状容器１の表面に照射される場合に、吸収されて電子４と正孔５とを生成し、空気中の水分と酸素と反応して活性酸素と水酸基自由基を生成し、これを繰り返して酸化還元反応を続けると、絶えず日差しまたは紫外線３を吸収し、空気中の水分と酸素とを反応させる。プラスチック製のビール瓶体に応用される場合に、９５％以上の紫外線３の瓶内に対する侵入を隔絶でき、紫外線３をビールに入らせることをなくすことが出来、ビール花と蛇麻草との成分を酸化するチャンスをなくすことができ、ビールに元味を保有させることができる。その反応の生成する活性酸素と水酸基自由基の所有する強い酸化能力が空気中の細菌と悪臭物質を酸化分解でき、自己浄化の効果を実現できる。同じように、本発明も各種の強烈光線に弱いジュースを収納する他の保護膜有瓶状容器に応用できることが言うまでもないことである。
【図面の簡単な説明】
【００２０】
【図１】本発明による保護膜付き瓶状容器における光触媒薄膜を示す断面図である。
【図２】光線が瓶状容器の表面に照射される際に生成される酸化還元反応のことを示す説明図である。
【符号の説明】
【００２１】
１      瓶状容器表面
２      瓶状容器
３      紫外線
４      電子
５      正孔
２１    ｎｍレベルの二酸化チタン材料
２２    銅粒
２３    保護膜
【図１】
2005206229.tif 000003
【図２】
2005206229.tif 000004